(57)【要約】【課題】記録再生装置にメイン記録メディアが正しくセットされていない、メイン記録メディアの残量がない、メイン記録メディアが記録禁止設定になっているなど、メイン記録メディアが遠隔地からでは対処できない録画不可状態にあっても、予約番組を録画することができる記録再生装置を提供する。【解決手段】保存用のメイン記録メディア２０３とは別異に一時記録用のサブ記録メディア２０４を設けておき、記録メディア監視部２０５による録画可否判別の結果、メイン記録メディア２０３への予約番組録画が不可、サブ記録メディア２０４への予約番組録画が可能な場合には、予約制御部２０２がサブ記録メディア２０４に対する録画予約の実行を制御するようにする。【選択図】　図１
2004096577.tif 000002
【特許請求の範囲】
【請求項１】
ネットワークを介した遠隔制御端末からの録画予約設定要求を受信する通信制御部と、
前記通信制御部からの指示に従って録画予約設定を行い録画予約の実行を制御する予約制御部と、
記録メディアへの録画の可否を判定する記録メディア監視部と、
保存用の記録を行う記録メディアであるメイン記録メディアと、
前記記録メディア監視部が前記メイン記録メディアへの録画の可否判定を不可と判定したときに前記メイン記録メディアの代わりに一時的な記録を行う記録メディアであるサブ記録メディアと
を備え、前記予約制御部は、前記メイン記録メディアへの録画の可否判定が不可と判定され、前記サブ記録メディアへの録画の可否判定が可と判定されたとき、前記サブ記録メディアへの録画予約の実行を制御することを特徴とする記録再生装置。
【請求項２】
請求項１記載の記録再生装置であって、
前記予約制御部は、前記メイン記録メディアと前記サブ記録メディアへの録画の可否判定がともに不可と判定されたとき、あらかじめ定められた優先順位のもとで前記サブ記録メディアの記録済み番組の中から削除する番組を決定し、録画を可能とする空き容量を確保した後、前記サブ記録メディアへの録画予約の実行を制御することを特徴とする記録再生装置。
【請求項３】
請求項１記載の記録再生装置であって、
前記通信制御部はネットワークを介して外部に接続されている記録再生装置へ前記録画予約設定要求を送信する機能を有し、
前記予約制御部は、前記メイン記録メディアと前記サブ記録メディアへの録画の可否判定がともに不可と判定されたとき、前記通信制御部を制御し、前記外部に接続されている記録再生装置に前記録画予約設定要求を送信させることを特徴とする記録再生装置。
【請求項４】
請求項１記載の記録再生装置であって、
メッセージを表示する表示部を備え、
前記サブ記録メディアに番組が記録されている状態で当該記録再生装置本体の主電源が投入されたとき、前記予約制御部は、前記メイン記録メディアの録画不可状態を取り除くこと、及び前記サブ記録メディアに記録されている番組を前記メイン記録メディアにコピーしてこの番組を前記サブ記録メディアから削除することを勧告する勧告メッセージを前記表示部に表示させることを特徴とする記録再生装置。
【請求項５】
請求項１記載の記録再生装置であって、
メッセージを表示する表示部を備え、
前記サブ記録メディアに番組が記録されている状態で当該記録再生装置本体の主電源が投入された後、前記メイン記録メディアの録画不可状態が取り除かれて前記メイン記録メディアへの録画の可否判定が可と判定されたとき、前記予約制御部は、前記サブ記録メディアに記録されている番組を前記メイン記録メディアにコピーしてこの番組を前記サブ記録メディアから削除するか否かを問う確認メッセージを前記表示部に表示させ、この確認メッセージに従い前記サブ記録メディアからこの番組をコピーして削除する選択がなされると、当該記録再生装置が自動でこの動作を行うよう制御することを特徴とする記録再生装置。
【発明の詳細な説明】
【０００１】
【発明の属する技術分野】
本発明は、ネットワークを介しての録画予約が可能な記録再生装置に関する。
【０００２】
【従来の技術】
近年、インターネットなどの広域ネットワークの普及に伴い、ネットワークを介しての遠隔制御が可能な記録再生装置が出現してきた。
【０００３】
一方、衛星放送やケーブルテレビの導入、さらには放送のデジタル化による多チャンネル化が進んできており、視聴者個々人の趣向に合う番組が放送されるようになってきた。そのため、記録再生装置における録画予約機能は視聴者にとってますます重要なものになってきている。
【０００４】
そこで、上記ネットワークを介しての遠隔制御が可能な記録再生装置を用い、視聴者が何処にいても録画予約できるようにした録画予約システムが実用化されてきている。従来の録画予約システムとしては、例えば、遠隔制御端末をネットワークに接続してネットワーク上の予約サーバに録画予約データを登録し、記録再生装置が定期的に予約サーバにアクセスすることで録画予約の設定を行うものや、ネットワークに常時接続されたパソコンや通信アダプタを経由して遠隔制御端末から直接記録再生装置に録画予約の設定を行うものなどがある（例えば、特許文献１参照。）。
【０００５】
このように、ネットワークを介しての遠隔制御が可能な記録再生装置の出現によって、例えば録画予約を忘れて外出した場合でも外出先から自分の見たい番組の録画予約ができるなど、ユーザに高品質のサービスを提供できるようになった。
【０００６】
しかしながら、従来の記録再生装置では、記録再生装置に記録メディアが正しくセットされていない、記録メディアの残量がない、記録メディアが記録禁止設定になっているなど、記録メディアが録画不可状態にあるときには、録画予約を実行することができなかった。
【０００７】
【特許文献１】
特開２００１−３３１３９４号公報（第４−６頁、第１−２図）
【０００８】
【発明が解決しようとする課題】
本発明は、上記従来の問題点を解決するもので、保存用の記録を行う記録メディアであるメイン記録メディアとは別異にサブ記録メディアを設け、録画予約実行時にメイン記録メディアが録画不可状態にあるときには、サブ記録メディアへ録画を行うことにより、確実に録画予約を実行することができる記録再生装置を提供することを目的とする。
【０００９】
このようにすれば、記録再生装置にメイン記録メディアが正しくセットされていない、メイン記録メディアの残量がない、メイン記録メディアが記録禁止設定になっているなど、メイン記録メディアが遠隔地からでは対処できない録画不可状態にあっても、ユーザは見たい番組を確実に録画することができる。
【００１０】
【課題を解決するための手段】
本発明の請求項１記載の記録再生装置は、ネットワークを介した遠隔制御端末からの録画予約設定要求を受信する通信制御部と、前記通信制御部からの指示に従って録画予約設定を行い録画予約の実行を制御する予約制御部と、記録メディアへの録画の可否を判定する記録メディア監視部と、保存用の記録を行う記録メディアであるメイン記録メディアと、前記記録メディア監視部が前記メイン記録メディアへの録画の可否判定を不可と判定したときに前記メイン記録メディアの代わりに一時的な記録を行う記録メディアであるサブ記録メディアとを備え、前記予約制御部は、前記メイン記録メディアへの録画の可否判定が不可と判定され、前記サブ記録メディアへの録画の可否判定が可と判定されたとき、前記サブ記録メディアへの録画予約の実行を制御することを特徴とする。
【００１１】
本発明の請求項２記載の記録再生装置は、請求項１記載の記録再生装置であって、前記予約制御部は、前記メイン記録メディアと前記サブ記録メディアへの録画の可否判定がともに不可と判定されたとき、あらかじめ定められた優先順位のもとで前記サブ記録メディアの記録済み番組の中から削除する番組を決定し、録画を可能とする空き容量を確保した後、前記サブ記録メディアへの録画予約の実行を制御することを特徴とする。
【００１２】
本発明の請求項３記載の記録再生装置は、請求項１記載の記録再生装置であって、前記通信制御部はネットワークを介して外部に接続されている記録再生装置へ前記録画予約設定要求を送信する機能を有し、前記予約制御部は、前記メイン記録メディアと前記サブ記録メディアへの録画の可否判定がともに不可と判定されたとき、前記通信制御部を制御し、前記外部に接続されている記録再生装置に前記録画予約設定要求を送信させることを特徴とする。
【００１３】
本発明の請求項４記載の記録再生装置は、請求項１記載の記録再生装置であって、メッセージを表示する表示部を備え、前記サブ記録メディアに番組が記録されている状態で当該記録再生装置本体の主電源が投入されたとき、前記予約制御部は、前記メイン記録メディアの録画不可状態を取り除くこと、及び前記サブ記録メディアに記録されている番組を前記メイン記録メディアにコピーしてこの番組を前記サブ記録メディアから削除することを勧告する勧告メッセージを前記表示部に表示させることを特徴とする。
【００１４】
本発明の請求項５記載の記録再生装置は、請求項１記載の記録再生装置であって、メッセージを表示する表示部を備え、前記サブ記録メディアに番組が記録されている状態で当該記録再生装置本体の主電源が投入された後、前記メイン記録メディアの録画不可状態が取り除かれて前記メイン記録メディアへの録画の可否判定が可と判定されたとき、前記予約制御部は、前記サブ記録メディアに記録されている番組を前記メイン記録メディアにコピーしてこの番組を前記サブ記録メディアから削除するか否かを問う確認メッセージを前記表示部に表示させ、この確認メッセージに従い前記サブ記録メディアからこの番組をコピーして削除する選択がなされると、当該記録再生装置が自動でこの動作を行うよう制御することを特徴とする。
【００１５】
以上のように、本発明によれば、録画予約実行時にメイン記録メディアが録画不可状態にある場合であっても、一時記録用のサブ記録メディアへ録画先を切り替えて録画することにより、録画予約を実行することができる。
【００１６】
【発明の実施の形態】
以下、本発明による実施の形態について図面を交えて説明を行う。
（実施の形態１）
まず、本実施の形態１によるネットワークを介しての遠隔制御が可能な記録再生装置について説明する。図１は本実施の形態１による記録再生装置の構成を示すブロック図である。図１において、１００は携帯電話機やパーソナルコンピュータなどの遠隔制御端末であって、電子メール送信機能やインターネット上のサイトを閲覧するＷＥＢブラウザ機能を備えており、遠隔地からネットワークを介して当該記録再生装置に録画予約の設定を行うことができる。１０１は移動体通信網や公衆回線網、インターネットなどによるネットワークであり、遠隔制御端末１００と当該記録再生装置が通信を行うための手段を提供する。
【００１７】
２００は記録再生装置本体であり、ネットワーク１０１を介して遠隔制御端末１００によって制御される。２０１はネットワーク１０１を介した遠隔制御端末１００からの録画予約設定要求を受信する通信制御部であり、メール受信機能やＷＥＢサーバ機能と、ネットワーク１０１へのアクセス機能とを備えている。２０２は通信制御部２０１からの指示に従って録画予約の設定を行い、録画予約の実行を制御する予約制御部である。
【００１８】
２０３は保存用の記録を行うメイン記録メディアであり、通常はこのメイン記録メディア２０３に予約番組の録画（記録）が行われる。メイン記録メディア２０３は磁気カセットテープや光ディスク等の脱着可能な記録メディアでもよいし、ハードディスクドライブ等の機器内蔵型記録メディアのユーザ領域でも構わない。
【００１９】
２０４はメイン記録メディア２０３への予約番組の録画が不可なとき、メイン記録メディア２０３に代わって一時的に予約番組を録画（記録）するサブ記録メディアであり、通常ユーザが記録不可能な機器内蔵のシステム領域として存在する。
【００２０】
２０５はメイン記録メディア２０３とサブ記録メディア２０４への録画（記録）の可否を判定する記録メディア監視部であり、記録メディアが正常にセットされていないとき、記録メディアに十分な空き容量がないとき、記録メディアが書き込み禁止に設定されているときに録画不可と判定する。
【００２１】
以上のように構成された記録再生装置の動作について、以下に説明する。
記録再生装置２００に対し遠隔地から録画の予約を行おうとするユーザは、遠隔制御端末１００を使用して記録再生装置２００に録画予約設定要求を送信する。なお、この録画予約設定要求の送信に関しては、電子メールやＷＥＢブラウザを用いて記録再生装置２００に直接送信するように構成してもよいし、ネットワーク１０１上の予約サーバ（図示せず）にこの録画予約設定要求を登録しておき記録再生装置２００が定期的に予約サーバに問い合わせる構成としてもよい。予約制御部２０２は通信制御部２０１から録画予約設定要求を受け取り録画予約の設定を行う。
【００２２】
録画予約の実行時の動作について図２を用いて説明する。予約開始時刻のＴ秒前に予約制御部２０２は記録メディア監視部２０５に録画可否（記録可否）の問い合わせをする。記録メディア監視部２０５はこの問い合わせを受け、メイン記録メディア２０３とサブ記録メディア２０４に対して録画可否の判定を行い、この判定結果を予約制御部２０２へ送る。予約制御部２０２はこの判定結果を基に録画予約の実行を制御する。なお、記録メディア監視部２０５は、まずメイン記録メディア２０３に対して録画可否を判定し、録画可能であればその判定結果を予約制御部２０２へ送る構成でもよいし、メイン記録メディア２０３に対する録画可否の判定結果にかかわらずサブ記録メディア２０４についても判定を行い、メイン記録メディア２０３とサブ記録メディア２０４の両方の判定結果を予約制御部２０２へ送る構成としてもよい。
【００２３】
メイン記録メディアへの予約番組録画が不可、サブ記録メディアへの予約番組録画が可能な場合、この判定結果を受けた予約制御部２０２はサブ記録メディア２０４に対する録画予約の実行を制御し、予約開始時刻に録画を開始させ、予約終了時刻に録画を停止させる。
【００２４】
メイン記録メディアとサブ記録メディアの両方で予約番組の録画が不可の場合、図３に示すように、この判定結果を受けた予約制御部２０２は、あらかじめ定められた優先順位の下で、サブ記録メディア２０４内の記録済み番組の中から削除すべき番組を決定して削除する。予約制御部２０２はサブ記録メディア２０４内に予約番組の録画が可能な空き容量を確保した後、サブ記録メディア２０４への録画予約の実行を制御し、予約開始時刻に録画を開始させ、予約終了時刻に録画を停止させる。
【００２５】
削除される番組の優先順位は、記録容量の大きい順や記録された日時の古い順など録画予約設定時にユーザがあらかじめ選択したり、初期設定であらかじめ選択しておくことも可能である。
【００２６】
以上のように本実施の形態１によれば、メイン記録メディアをセットし忘れるなどメイン記録メディアが正常にセットされていない場合やメイン記録メディアに十分な空き容量がない場合、メイン記録メディアが書き込み禁止に設定されている場合など、録画予約実行時にメイン記録メディアへの予約番組の録画が不可と判定された場合であっても、サブ記録メディアに録画先を切り替えて予約番組の録画ができるので、ユーザは所望の番組を録画して視聴することができるようになる。
【００２７】
また、サブ記録メディアに予約番組を録画するのに十分な空き容量がなく、メイン記録メディアとサブ記録メディアがともに予約番組の録画不可を判定された場合であっても、あらかじめ定められた削除する番組の優先順位の下で、予約番組の録画が可能な空き容量を確保できるようにサブ記録メディアから記録済み番組を削除することにより、新しく予約した番組を優先して残すことが可能となる。
【００２８】
（実施の形態２）
続いて、本実施の形態２によるネットワークを介しての遠隔制御が可能な記録再生装置について説明する。図４は本実施の形態２による記録再生装置の構成を示すブロック図である。なお、前述した実施の形態１と同じ構成を有する部材には同一の番号を付記して、説明を省略する。
【００２９】
実施の形態１の記録再生装置と異なる点は、外部記録再生装置４０２がネットワーク１０１上に存在し、通信制御部４０１が録画予約設定要求の受信だけでなく外部記録再生装置４０２への録画可否の問い合わせと録画予約設定要求の送信を行う点にある。外部記録再生装置４０２は本実施の形態２による記録再生装置と同一のものが少なくとも一台ローカルネットワーク上に接続されている構成でもよいし、外部ネットワークにある予約サーバのような構成でもよい。
【００３０】
以上のように構成された記録再生装置における録画予約の実行時の動作について図５を用いて説明する。但し、録画可否の判定までの動作は実施の形態１と同様であるので説明を省略する。メイン記録メディア２０３とサブ記録メディア２０４の両方で予約番組の録画が不可の場合、この判定結果を受けた予約制御部２０２はネットワーク１０１上に録画可能な外部記録再生装置がないか通信制御部４０１に問い合わせる。通信制御部４０１はネットワーク１０１上に存在するあらかじめ登録された記録再生装置、もしくはあらかじめ登録された予約サーバへ録画可否の問い合わせを行い、その結果を予約制御部２０２に送る。外部に録画可能な記録再生装置が存在した場合、もしくは予約サーバでの録画が可能な場合、予約制御部２０２は通信制御部４０１を制御して録画予約設定要求を送信させる。要求を受け取った記録再生装置、もしくは予約サーバはこの録画予約設定要求に基づき録画予約を実行する。
【００３１】
また、当該記録再生装置は、録画予約設定要求の送信先を記憶しておき、表示部（図示せず）に表示してユーザへ録画先を教示できるよう構成されている。
以上のように本実施の形態２によれば、メイン記録メディア、サブ記録メディアの両方で予約番組の録画が不可であっても、連携して録画依頼をすることができる記録再生装置や予約サーバが録画予約の実行時にネットワークにつながっていれば、いずれかに予約番組の録画ができるので、サブ記録メディア内の記録済み番組を削除することなく予約番組を録画することができ、ユーザは所望の番組を録画して視聴することができるようになる。
【００３２】
（実施の形態３）
続いて、本実施の形態３によるネットワークを介しての遠隔制御が可能な記録再生装置について説明する。図６は本実施の形態３による記録再生装置の構成を示すブロック図である。なお、前述した実施の形態１による記録再生装置と同じ構成を有する部材には同一の番号を付記して、説明を省略する。
【００３３】
実施の形態１による記録再生装置と異なる点は、サブ記録メディア２０４に番組が録画（記録）されているときには、ユーザに対し、メイン記録メディアの録画不可状態を取り除き、サブ記録メディア２０４からメイン記録メディア２０３に番組をコピーしサブ記録メディア上からこの番組を削除することを勧告する勧告メッセージや、サブ記録メディア２０４からメイン記録メディア２０３に番組をコピーしサブ記録メディア上からこの番組を削除するか否かを問う確認メッセージを表示する表示部６０１を備える点にある。
【００３４】
録画予約の実行完了後の当該記録再生装置本体の主電源投入時の動作を図７を用いて説明する。但し、サブ記録メディアへの録画予約の実行完了までの動作は実施の形態１の記録再生装置と同じであるので、説明を省略する。
【００３５】
主電源が投入されると、予約制御部２０２は記録メディア監視部２０５に対し、サブ記録メディア２０４に番組が録画されているか否かを問い合わせる。記録メディア監視部２０５はサブ記録メディア２０４に番組が録画されているか否かの判定を行う。サブ記録メディア２０４に番組が録画されている場合、この判定結果を基に予約制御部２０２は、メイン記録メディアの録画不可状態を取り除くこと、及びサブ記録メディア２０４からメイン記録メディア２０３に番組をコピーしサブ記録メディア上からこの番組を削除することを勧告する勧告メッセージを表示部６０１に表示させる。
【００３６】
ユーザはその表示を見てメイン記録メディア２０３の録画不可状態を取り除き、サブ記録メディア２０４からメイン記録メディア２０３に番組をコピーし、コピー済みの番組をサブ記録メディア２０４から削除する。ここで録画不可状態を取り除くというのは、メイン記録メディアが入っていなかった場合には空き容量のあるメイン記録メディアを正常にセットすることを指し、メイン記録メディアに空き容量がない場合には不要の番組を削除する、または空き容量のある別のメイン記録メディアをセットして空き容量を確保することを指し、またメイン記録メディアが書き込み禁止に設定されている場合にはこの設定を解除することを指す。
【００３７】
以上、ユーザがメイン記録メディア２０３の録画不可状態を取り除き、手動でサブ記録メディア内の番組のコピーと削除を行う例を示したが、このサブ記録メディア内の番組のコピーと削除を自動化することも可能である。すなわち、記録メディア監視部２０５はメイン記録メディア２０３の状態を定期的にチェックし、メイン記録メディア２０３の録画不可状態が取り除かれていたら、予約制御部２０２にメイン記録メディア２０３が録画可能状態になったことを通知する。予約制御部２０２は、サブ記録メディア２０４からメイン記録メディア２０３に番組をコピーしサブ記録メディア上からこの番組を削除するか否かを問う確認メッセージを表示部６０１に表示させる。サブ記録メディア２０４からメイン記録メディア２０３に録画済み番組をコピーしサブ記録メディア上からこの番組を削除することが選択されると、予約制御部２０２はメイン記録メディア２０３の記録を開始すると同時に、サブ記録メディア２０４の再生を開始することによって録画済み番組のコピーを行う。録画済み番組のコピーが終了したとき、予約制御部２０２はメイン記録メディア２０３とサブ記録メディア２０４を停止状態にし、サブ記録メディア２０４から録画済み番組の削除を行い空き容量を確保する。
【００３８】
なお、上記自動化の機能を有する場合には、勧告メッセージとして、メイン記録メディアの録画不可状態を取り除くことを勧告する勧告メッセージを表示させるようにしてもよい。
【００３９】
以上のように本実施の形態３によれば、録画予約の実行完了後ユーザが記録再生装置を利用するために主電源を入れたとき、ユーザに対し、メイン記録メディアの録画不可状態を取り除き、サブ記録メディアからメイン記録メディアに番組をコピーしサブ記録メディア上からこの番組を削除することを勧告する勧告メッセージを表示することにより、ユーザは、この勧告メッセージを見てサブ記録メディアからメイン記録メディアへの録画済み番組のコピーおよびサブ記録メディア内のこの番組の削除を行い、サブ記録メディアを常に録画可能状態にしておくことができ、遠隔録画予約の際のサブ記録メディアへの一時退避の確実性を高めることができる。
【００４０】
さらには、メイン記録メディアの録画不可状態が取り除かれたときに、サブ記録メディアからメイン記録メディアに番組をコピーしサブ記録メディア上からこの番組を削除するか否かを問う確認メッセージを表示し、ユーザの選択により上記動作を自動で行うので、ユーザは、サブ記録メディアを常に録画可能状態にしておくことができ、遠隔録画予約の際のサブ記録メディアへの一時退避の確実性を高めることができる。
【００４１】
なお、実施の形態１、実施の形態２、実施の形態３で説明した各構成要素を任意に組み合わせた構成としてもよいことは、謂うまでもない。
【００４２】
【発明の効果】
以上のように、本発明によれば、録画予約実行時にメイン記録メディアが録画不可状態にある場合であっても、一時記録用のサブ記録メディアへ録画先を切り替えて録画することにより、録画予約を実行することができる。
【図面の簡単な説明】
【図１】本発明の実施の形態１による記録再生装置の構成を示すブロック図
【図２】本発明の実施の形態１による記録再生装置における録画予約の実行時の動作を表すフロー図（メイン記録メディアへの録画が不可、サブ記録メディアへの録画が可の場合）
【図３】本発明の実施の形態１による記録再生装置における録画予約の実行時の動作を表すフロー図（メイン記録メディアへの録画とサブ記録メディアへの録画がともに不可の場合）
【図４】本発明の実施の形態２による記録再生装置の構成を示すブロック図
【図５】本発明の実施の形態２による記録再生装置における録画予約の実行時の動作を表すフロー図
【図６】本発明の実施の形態３による記録再生装置の構成を示すブロック図
【図７】本発明の実施の形態３による記録再生装置における録画予約の実行時の動作を表すフロー図
【符号の説明】
１００　　　遠隔制御端末
１０１　　　ネットワーク
２００　　　記録再生装置本体
２０１、４０１　通信制御部
２０２　　　予約制御部
２０３　　　メイン記録メディア
２０４　　　サブ記録メディア
２０５　　　記録メディア監視部
４０２　外部記録再生装置
６０１　　　表示部
【図１】
2004096577.tif 000003
【図２】
2004096577.tif 000004
【図３】
2004096577.tif 000005
【図４】
2004096577.tif 000006
【図５】
2004096577.tif 000007
【図６】
2004096577.tif 000008
【図７】
2004096577.tif 000009